(57)【要約】【課題】複数地点での撮影による画像及び音声信号を、任意に切り換え編集して収録するための画像音声処理システムを、安価な機器により構成する。【解決手段】１台または複数台の送信側装置１ａ、１ｂと、受信側装置４とを含む。送信側装置は、カメラ及び／またはマイクから入力された画像及び／または音声信号をデータ変換する画像音声入力処理回路２と、データを送信するためのデータ送信回路３ａ、３ｂとを備える。受信側装置は、送信側装置から送信されたデータを受信するデータ受信回路６と、受信データを一時的に蓄積し、蓄積データから、特定の対象データの特定の期間におけるデータを選択し切り替えて出力する蓄積切り替え回路７と、その切り替えのための制御信号を生成する制御回路８と、蓄積切り替え回路の出力データを記録メディア１０に書き込み、またはデータを読み出すための変換処理を行うデータ処理回路９とを備える。【選択図】  図１
2004194125.tif 000002
【特許請求の範囲】
【請求項１】
画像信号及び／または音声信号を生成しそのデータを送信する複数台の送信側装置と、前記送信側装置から送信された各々のデータを受信して処理する受信側装置とを含み、
前記送信側装置は、カメラ及び／またはマイクと、前記カメラ及び／またはマイクから入力された画像信号及び／または音声信号をデータ変換する入力処理回路と、前記入力処理回路から出力されるデータを送信するためのデータ送信回路とを備え、
前記受信側装置は、前記各送信側装置から送信された各々の前記データを受信するデータ受信回路と、前記データ受信回路により受信された各々のデータを一時的に蓄積するとともに、蓄積された各々のデータから、特定の対象データの特定の期間におけるデータを選択し切り替えて出力する蓄積切り替え回路と、前記蓄積切り替え回路における前記切り替えのための制御信号を生成する制御回路と、前記蓄積切り替え回路から出力されるデータを記録メディアに書き込み、または前記記録メディアからデータを読み出すための変換処理を行うデータ処理回路とを備えた画像音声処理システム。
【請求項２】
画像信号及び／または音声信号を生成しそのデータを送信する１台または複数台の送信側装置と、前記送信側装置から送信された各々のデータを受信して処理する受信側装置とを含み、
前記送信側装置は、カメラ及び／またはマイクと、前記カメラ及び／またはマイクから入力された画像信号及び／または音声信号をデータ変換する入力処理回路と、前記入力処理回路から出力されるデータを送信するためのデータ送信回路とを備え、
前記受信側装置は、カメラ及び／またはマイクと、前記カメラ及び／またはマイクから入力された画像信号及び／または音声信号をデータ変換する入力処理回路と、前記各送信側装置から送信された各々の前記データを受信するデータ受信回路と、前記入力処理回路から出力されるデータ及び前記データ受信回路により受信された各々のデータを一時的に蓄積するとともに、蓄積された各々のデータから、特定の対象データの特定の期間におけるデータを選択し切り替えて出力する蓄積切り替え回路と、前記蓄積切り替え回路における前記切り替えのための制御信号を生成する制御回路と、前記蓄積切り替え回路から出力されるデータを記録メディアに書き込み、または前記記録メディアからデータを読み出すための変換処理を行うデータ処理回路とを備えた画像音声処理システム。
【請求項３】
前記受信側装置は、前記データ処理回路から出力されるデータを外部機器に出力するための変換処理を行う画像音声出力処理回路を更に備えた請求項１または２記載の画像音声処理システム。
【請求項４】
画像信号及び／または音声信号を生成しそのデータを送信する複数台の送信側装置と、前記送信側装置から送信された各々のデータを受信して処理する受信側装置とを含み、
前記送信側装置は、カメラ及び／またはマイクと、前記カメラ及び／またはマイクから入力された画像信号及び／または音声信号をデータ変換する入力処理回路と、前記入力処理回路から出力されるデータを送信するためのデータ送信回路とを備え、
前記受信側装置は、前記各送信側装置から送信された各々の前記データを受信するデータ受信回路と、前記データ受信回路により受信された各々の前記データを一時的に蓄積する蓄積回路と、前記蓄積回路から出力される前記データを記録メディアに書き込み、または前記記録メディアからデータを読み出すための変換処理を行うデータ処理回路と、前記データ処理回路から出力される各々のデータから、特定の対象データの特定の期間におけるデータを選択し切り替えて出力する切り替え回路と、前記切り替え回路における前記切り替えのための制御信号を生成する制御回路と、前記切り替え回路から出力されたデータに対して、外部機器に出力するための変換処理を行う画像音声出力処理回路とを備えた画像音声処理システム。
【請求項５】
画像信号及び／または音声信号を生成しそのデータを送信する１台または複数台の送信側装置と、前記送信側装置から送信された各々のデータを受信して処理する受信側装置とを含み、
前記送信側装置は、カメラ及び／またはマイクと、前記カメラ及び／またはマイクから入力された画像信号及び／または音声信号をデータ変換する入力処理回路と、前記入力処理回路から出力されるデータを送信するためのデータ送信回路とを備え、
前記受信側装置は、カメラ及び／またはマイクと、前記カメラ及び／またはマイクから入力された画像信号及び／または音声信号をデータ変換する入力処理回路と、前記各送信側装置から送信された各々の前記データを受信するデータ受信回路と、前記入力処理回路から出力されるデータ及び前記データ受信回路により受信された各々の前記データを一時的に蓄積する蓄積回路と、前記蓄積回路から出力される前記データを記録メディアに書き込み、または前記記録メディアからデータを読み出すための変換処理を行うデータ処理回路と、前記データ処理回路から出力される各々のデータから、特定の対象データの特定の期間におけるデータを選択し切り替えて出力する切り替え回路と、前記切り替え回路における前記切り替えのための制御信号を生成する制御回路と、前記切り替え回路から出力されたデータに対して、外部機器に出力するための変換処理を行う画像音声出力処理回路とを備えた画像音声処理システム。
【発明の詳細な説明】
【０００１】
【発明の属する技術分野】
本発明は、複数地点での撮影により生成される画像信号及び音声信号を、任意に切り換え編集して収録するための画像音声処理システムに関する。
【０００２】
【従来の技術】
従来、複数地点での撮影には、ビデオカメラを複数台用意し各々の地点で使用して、画像及び音声を記録メディアに収録する。その後、複数の記録メディアに記録された信号を再生しながら、編集機器を使って合成、差し替えを行う（例えば、特許文献１参照）。図５に、そのような撮影、編集の手順を示す。
【０００３】
図５に示すように、複数の撮影地点に各々カメラ装置２１ａ、２１ｂを配置する。カメラ装置２１ａは、Ａ地点で画像信号及び音声信号を記録再生するために用いられ、カメラ、マイク等（図示せず）により、画像信号及び音声信号を画像音声入力処理回路５に出力する。画像音声入力処理回路５は、画像信号及び音声信号にデータ変換処理を施してデータ処理回路９に出力する。データ処理回路９は、画像音声入力処理回路５から入力された画像信号及び音声信号に、記録メディア１０に対して記録するための変換処理を施し、記録メディア１０に記録する。データ処理回路９はまた、記録メディア１０に記録された画像データ及び音声データを再生し、記録時の逆変換処理を施して、画像音声出力処理回路１１に出力する。画像音声出力処理回路１１は、データ処理回路９から出力された画像データ及び音声データを外部機器に出力するための変換処理を行う。
【０００４】
カメラ装置２１ｂは、Ｂ地点で画像信号及び音声信号を記録再生するために用いられ、システム構成と動作はカメラ装置２１ａと同等である。編集機器２２は、カメラ装置２１ａ、２１ｂの記録メディア１０、またはカメラ装置２１ａ、２１ｂの各画像音声出力処理回路１１の出力信号を編集するために用いられる。
【０００５】
以上のように構成された従来の画像音声処理システムによる、画像音声の収録と編集ついて以下に説明する。図５のように、２カ所（Ａ地点とＢ地点）の撮影ポイントで撮影を行おうとした場合、カメラ装置が２台必要である。Ａ地点及びＢ地点で撮影するカメラ装置２１ａ、２１ｂのカメラ、マイク等から入力された画像信号及び音声信号に対して、画像音声入力処理回路５でデータ変換処理を行い、データ処理回路９では、記録メディア１０に記録するための変換処理を行って、記録メディア１０に記録する。
【０００６】
Ａ地点とＢ地点で撮影した画像信号と音声信号を編集するために、各カメラ装置２１ａ、２１ｂで記録された記録メディア１０を、編集機器２２により再生し、合成・差し替えを行う。あるいは、各カメラ装置２１ａ、２１ｂのデータ処理回路９により、記録メディア１０に書き込まれた信号を再生し、記録時の逆変換処理を行って、画像音声出力処理回路１１で、外部機器に出力するための処理を行う。その出力信号を編集機器２２に入力して、合成・差し替えを行う。
【０００７】
【特許文献１】
特開平１０−１４９６６８号公報
【０００８】
【発明が解決しようとする課題】
しかしながら上記の従来の構成では、複数の撮影箇所で同一時間の画像信号及び音声信号を収録し編集するために、編集機器と、撮影箇所分の記録機能を備えたカメラ装置を準備しなければならない。そのために高価なシステムになるという問題点を有していた。
【０００９】
本発明は上記従来の問題点を解決し、複数地点での撮影により生成される画像信号及び音声信号を、任意に切り換え編集して収録するための画像音声処理システムを、安価な機器により構成することを目的とする。
【００１０】
【課題を解決するための手段】
上記課題を解決するために、本発明の画像音声処理システムは、画像信号及び／または音声信号を生成しそのデータを送信する複数台の送信側装置と、前記送信側装置から送信された各々のデータを受信して処理する受信側装置とを含む。前記送信側装置は、カメラ及び／またはマイクと、前記カメラ及び／またはマイクから入力された画像信号及び／または音声信号をデータ変換する入力処理回路と、前記入力処理回路から出力されるデータを送信するためのデータ送信回路とを備える。前記受信側装置は、前記各送信側装置から送信された各々の前記データを受信するデータ受信回路と、前記データ受信回路により受信された各々のデータを一時的に蓄積するとともに、蓄積された各々のデータから、特定の対象データの特定の期間におけるデータを選択し切り替えて出力する蓄積切り替え回路と、前記蓄積切り替え回路における前記切り替えのための制御信号を生成する制御回路と、前記蓄積切り替え回路から出力されるデータを記録メディアに書き込み、または前記記録メディアからデータを読み出すための変換処理を行うデータ処理回路とを備える。
【００１１】
【発明の実施の形態】
本発明の画像音声処理システムは、１台または複数台の送信側装置と、１台の受信側装置から構成される。送信側装置は、記録機能を具備しない安価な構成とすることができる。すなわち、送信側装置は、カメラ及び／またはマイクから入力された画像信号及び／または音声信号をデータ変換する入力処理回路と、入力処理回路から出力されるデータを送信するためのデータ送信回路とを備える。
【００１２】
受信側装置は、各送信側装置から送信されたデータを受信するデータ受信回路と、データ受信回路により受信された各々のデータを一時的に蓄積するとともに、蓄積された各々のデータから、特定の対象データの特定の期間におけるデータを選択し切り替えて出力する蓄積切り替え回路と、蓄積切り替え回路における切り替えのための制御信号を生成する制御回路と、蓄積切り替え回路から出力されるデータを記録メディアに書き込み、または記録メディアからデータを読み出すための変換処理を行うデータ処理回路とを備える。受信側装置が、カメラ及び／またはマイクと、カメラ及び／またはマイクから入力された画像信号及び／または音声信号をデータ変換する入力処理回路とを備えた構成とすることもできる。
【００１３】
受信側装置がカメラ等の撮影要素を具備しない構成の場合は、複数地点での撮影を可能とするために、送信側装置を複数台用いる。受信側装置が撮影要素を具備する構成の場合は、送信側装置は１台または複数台とすることができる。また、その場合、蓄積切り替え回路には、データ受信回路により受信されたデータとともに、受信側装置の入力処理回路から出力されるデータも蓄積される。
【００１４】
上記構成の画像音声処理システムによれば、複数の送信側装置で撮影され送信されるデータから、受信側装置により、特定の対象データ及び特定期間におけるデータを選択し、切り替えて記録メディアに書き込むことができる。従って、カメラにデータ送信回路を加え、受信側装置に編集機能を設けた安価な構成により、複数地点での撮影データを任意に編集して収録することが可能となる。
【００１５】
受信側装置は、データ処理回路から出力されるデータを外部機器に出力するための変換処理を行う画像音声出力処理回路を更に備えることができる。
【００１６】
また受信側装置は、各送信側装置から送信された各々のデータを受信するデータ受信回路と、前記データ受信回路により受信された各々の前記データを一時的に蓄積する蓄積回路と、前記蓄積回路から出力される前記データを記録メディアに書き込み、または前記記録メディアからデータを読み出すための変換処理を行うデータ処理回路と、前記データ処理回路から出力される各々のデータから、特定の対象データの特定の期間におけるデータを選択し切り替えて出力する切り替え回路と、前記切り替え回路における前記切り替えのための制御信号を生成する制御回路と、前記切り替え回路から出力されたデータに対して、外部機器に出力するための変換処理を行う画像音声出力処理回路とを備えた構成とすることもできる。
【００１７】
この構成においても、受信側装置が、カメラ及び／またはマイクと、カメラ及び／またはマイクから入力された画像信号及び／または音声信号をデータ変換する入力処理回路とを備えた構成とすることができる。その場合、上記と同様、送信側装置は１台または複数台とすることができる。また、その場合、蓄積回路には、データ受信回路により受信されたデータとともに、受信側装置の入力処理回路から出力されるデータも蓄積される。
【００１８】
以下に、本発明の各実施の形態について、図面を参照して説明する。
【００１９】
（実施の形態１）
図１は、本発明の実施の形態１における画像音声処理システムを示す。このシステムは、複数地点に配置された送信側装置１ａ、１ｂと、受信側装置４とを含む。Ａ地点に配置される送信側装置１ａは、カメラ、マイク（図示せず）及び画像音声入力処理回路２を含むカメラ要素を備えるとともに、データ送信回路３ａを有する。画像音声入力処理回路２は、カメラ、マイク等から入力される画像信号及び音声信号をデータ変換処理し、データ送信回路３ａに出力する。画像信号及び音声信号は、データ送信回路３ａにより送信される。Ｂ地点に配置された送信側装置１ｂも同様に、画像音声入力処理回路２とデータ送信回路３ｂを内蔵し、画像信号及び音声信号を送信する。
【００２０】
Ｃ地点に配置された受信側装置４は、Ｃ地点での画像信号及び音声信号を生成するためのカメラ要素、及び送信側装置１ａ、及び１ｂから送信されたデータを受信するための回路を搭載する。すなわち、受信側装置４はカメラ、マイク（図示せず）を備え、カメラ、マイクから入力された画像信号及び音声信号は、画像音声入力処理回路５によりデータ変換処理される。データ受信回路６は、送信側装置１ａ、１ｂのデータ送信回路３ａ、３ｂから送信されたデータを受信する。蓄積切り替え回路７は、画像音声入力処理回路５から出力されたデータとデータ受信回路６から出力された受信データを一時的に蓄積し、各地点のデータを選択的に切り替えて出力する。制御回路８は、蓄積切り替え回路７が蓄積したデータを選択的に切り替えて出力するための、切り替えを制御する信号を生成する。データ処理回路９は、蓄積切り替え回路７から出力されるデータを記録メディア１０に書き込み、または記録メディア１０から読み出す際の変換処理を行う。データ処理回路９により記録メディア１０から読み出されたデータは、画像音声出力処理回路１１に入力され、外部機器に出力するための変換処理が施されて、外部に出力される。
【００２１】
図２は、図１の画像音声処理システムの動作を示す図である。データＤ１は、Ａ地点において送信側装置１ａにより撮影された画像信号及び音声信号を表す。データＤ２は、Ｂ地点において送信側装置１ｂにより撮影された画像信号及び音声信号を表す。データＤ３は、Ｃ地点において受信側装置４により撮影され画像信号及び音声信号を表す。データＤ４は、記録メディア１０に記録された画像信号及び音声信号を表す。
【００２２】
以上のように構成された画像音声処理システムについて、図１と図２を用いてその動作を説明する。まず、Ａ地点において送信側装置１ａにより撮影され、画像音声入力処理回路２によりデータ変換処理された画像信号及び音声信号（データＤ１）が、データ送信回路３ａから出力される。同様にＢ地点で送信側装置１ｂにより撮影され、画像音声入力処理回路２によりデータ変換処理された画像信号及び音声信号（データＤ２）が、データ送信回路３ｂから出力される。各データ送信回路３ａ、３ｂから送信されたデータＤ１、Ｄ２は、受信側装置４のデータ受信回路６により受信され、蓄積切り替え回路７に出力される。同時に、Ｃ地点で受信側装置４により撮影された画像信号及び音声信号は、画像音声入力処理回路５でデータ変換処理されてデータＤ３として蓄積切り替え回路７に出力される。
【００２３】
蓄積切り替え回路７では、データ受信回路６から出力されたデータＤ１、Ｄ２、及び画像音声入力処理回路５から出力されたデータＤ３を個別に管理、蓄積する。蓄積切り替え回路７はさらに、制御回路８から出力される制御信号により、蓄積されたデータを適宜切り替えて、データＤ４として出力する。すなわち、送信側装置１ａ、１ｂ、あるいは受信側装置４において生成されたデータＤ１、Ｄ２、Ｄ３から、特定の所望期間におけるデータを選択的に切り替えて、データＤ４として出力する。
【００２４】
蓄積切り替え回路７から出力されたデータＤ４は、データ処理回路９により、書き込みのための変換処理が施されて、記録メディア１０に記録され、同時に画像音声出力処理回路１１に出力される。また、データ処理回路９により記録メディア１０からデータを読み出し、書き込み時の逆変換処理を行い、画像音声出力処理回路１１に出力することもできる。画像音声出力処理回路１１は、供給されたデータＤ４に対して外部機器に出力するための変換処理を行い、画像信号及び音声信号として出力する。
【００２５】
上述の制御回路８を介した、蓄積切り替え回路７によるデータ選択の切り替え制御は、手動で行うことも、自動的に行うことも可能である。手動で行う場合は、例えば、蓄積切り替え回路７に一時的に蓄積されるデータＤ１〜Ｄ３を全てディスプレイに供給して、各地点での画像及び音声を表示する。操作者は、ディスプレイの表示を見ながら、特定地点の特定期間の画像が適宜選択されるように、制御回路８を介して蓄積切り替え回路７の切り替えを制御する。自動的に切り替えを行う場合は、特定地点の特定期間の画像の選択をあらかじめ設定して、制御回路８にプログラム入力をしておく構成とする。
【００２６】
なお、受信側装置４がカメラ要素を搭載しない構成とすることもできる。その場合は、送信側装置１ａを複数台用いる必要がある。上述のように受信側装置４がカメラ要素を搭載する場合は、送信側装置１ａが１地点にのみ配置される場合でも、本発明を適用できる。その場合は、受信側装置４と併せて２地点における画像信号及び音声信号を編集するシステムとなる。
【００２７】
（実施の形態２）
図３は、実施の形態２における画像音声処理システムを示す。このシステムは、実施の形態１のシステムと同様、カメラ要素とデータ送信器を内蔵し各撮影地点に配置される複数の送信側装置と、受信側装置を含む。Ａ地点に配置される送信側装置１ａ、Ｂ地点に配置される送信側装置１ｂは、実施の形態１における送信側装置と同様の構成である。
【００２８】
Ｃ地点に配置される受信側装置１２は、実施の形態１の受信側装置４と若干構成が相違するが、Ｃ地点での画像信号及び音声信号を生成するためのカメラ要素、及び送信側装置１ａ、１ｂから送信されたデータを受信する回路を搭載する。すなわち、受信側装置１２はカメラ、マイク（図示せず）を備え、カメラ、マイクから入力された画像信号及び音声信号は、画像音声入力処理回路５によりデータ変換処理される。データ受信回路６は、送信側装置１ａ、１ｂのデータ送信回路３ａ、３ｂから送信されたデータを受信する。蓄積回路１３は、画像音声入力処理回路５から出力されたデータと、データ受信回路６から出力された受信データを一時的に蓄積する。
【００２９】
データ処理／切り替え回路１４は、蓄積回路１３から出力されるデータを記録メディア１０に書き込み、または記録メディア１０から読み出すための変換処理を行う。さらに、データ処理／切り替え回路１４は、蓄積回路１３から出力されまたは記録メディア１０から読み出される各地点のデータを、選択的に切り替えて出力する。制御回路８は、データを選択的に切り替えて出力するために、データ処理／切り替え回路１４において切り替えを制御する信号を生成する。データ処理／切り替え回路１４は、記録メディア１０からデータをパラレルに読み出すことが可能であり、それにより、記録メディア１０から読み出されるデータを、選択的に切り替え編集して出力することが容易になる。またデータ処理／切り替え回路１４は、記録メディア１０から読み出されたデータに対して、書き込み時の逆変換処理を行う。データ処理／切り替え回路１４からの出力信号は、画像音声出力処理回路１１により、外部機器に出力するための変換処理が施されて、外部に出力される。
【００３０】
図４は、図３の画像音声処理システムの動作を示す図である。データＤ５は、Ａ地点において送信側装置１ａで撮影した画像信号及び音声信号を表す。データＤ６は、Ｂ地点において送信側装置１ｂで撮影した画像信号及び音声信号を表す。データＤ７は、Ｃ地点において受信側装置１２のカメラで撮影した画像信号及び音声信号を表す。データＤ８は、データ処理／切り替え回路１４により、データＤ５，データＤ６、データＤ７を選択的に切り替えて出力される画像データ及び音声データを表す。
【００３１】
以上のように構成された画像音声処理システムについて、図３と図４を用いてその動作を説明する。まず、Ａ地点において送信側装置１ａにより撮影され、画像音声入力処理回路２によりデータ変換処理された画像信号及び音声信号（データＤ５）が、データ送信回路３ａから出力される。同様にＢ地点で送信側装置１ｂにより撮影され、画像音声入力処理回路２によりデータ変換処理された画像信号及び音声信号（データＤ６）が、データ送信回路３ｂから出力される。各データ送信回路３ａ、３ｂから送信されたデータＤ５、Ｄ６は、受信側装置１２のデータ受信回路６により受信され、蓄積回路１３に出力される。同時に、Ｃ地点で受信側装置１２により撮影された画像信号及び音声信号は、画像音声入力処理回路５でデータ変換処理されてデータＤ７として蓄積回路１３に出力される。
【００３２】
蓄積回路１３では、データ受信回路６から出力されたデータＤ５、データＤ６、及び画像音声入力処理回路５から出力されたデータＤ７を個別に管理、蓄積する。蓄積回路１３から出力されるデータは、データ処理／切り替え回路１４で、記録メディア１０に書き込むための変換処理が施される。同時に、制御回路８から出力される制御信号に基づき、データ処理／切り替え回路１４により適宜データが切り替えられて出力される。すなわち、送信側装置１ａ、１ｂ、あるいは受信側装置１２において生成されたデータＤ５、Ｄ６、Ｄ７から、特定の所望期間におけるデータを選択的に切り替えて、データＤ８として画像音声出力処理回路１１に出力される。
【００３３】
また、データ処理／切り替え回路１４により、記録メディア１０からデータを読み出し、制御回路８から出力された制御信号に基づいて、読み出されたデータに対して上述と同様の処理が施される場合もある。記録メディア１０から読み出されたデータに対しては、データ処理／切り替え回路１４で、書き込み時の逆変換処理が行われる。
【００３４】
画像音声出力処理回路１１に入力されたデータＤ８は、外部機器に出力するための変換処理が施され、画像信号及び音声信号として出力される。
【００３５】
以上の各実施の形態の画像音声処理システムを構成する送信側装置１ａ、１ｂ、あるいは受信側装置４、１２は、必ずしもカメラおよびマイクの双方を具備しなくともよい。すなわち、一部の送信側装置あるいは受信側装置が、カメラまたはマイクのみを具備し、画像音声入力処理回路２または５において、画像信号または音声信号のみが処理される構成の場合にも、本発明を適用可能である。
【００３６】
なお、以上の各実施の形態における蓄積切り替え回路７、あるいは蓄積回路１３を構成する蓄積メモリとしては、受信側装置４、１２の電源を切っても蓄積されたデータは残るメモリ、記録メディア、大容量記憶媒体等を用いることができる。また、記録メディア１０に記録することに限らず、データ処理回路９、あるいはデータ処理／切り替え回路１４を経由して画像音声出力処理回路１１から出力される信号を、外部の記録メディアに記録する構成とすることもできる。記録メディア１０としては、受信側装置４、１２の電源を切っても蓄積されたデータは残るメモリ、記録メディア、大容量記憶媒体等を用いることができる。蓄積切り替え回路７の切り替えを高速で実現できる場合は、蓄積メモリは無くても良い。送信側装置１ａ，送信側装置１ｂは、画像または音声が入力できる機器であればどのような機器でも良い。
【００３７】
受信側装置は、上述のとおり、カメラ、マイクを具備せずにデータ受信のみを行う構成とすることもできる。また、受信側装置は、画像音声出力処理回路１１を搭載しない構成としても良い。送信側装置にそれぞれ具備されるデータ送信回路と受信側装置のデータ受信回路の接続は、有線でも無線でも良い。蓄積切り替え回路７、切り替え回路１４の切り替えを制御する制御回路８は、スイッチによって構成してもよい。
【００３８】
【発明の効果】
本発明によれば、複数地点での撮影により生成された画像信号及び音声信号を、任意に切り換え編集して収録するための画像音声処理システムを、安価な機器により構成することができる。
【図面の簡単な説明】
【図１】本発明の実施の形態１における画像音声処理システムのシステム構成図
【図２】図１の画像音声処理システムにおけるデータ切り替えを示すタイミング図
【図３】本発明の実施の形態２における画像音声処理システムのシステム構成図
【図４】図３の画像音声処理システムにおけるデータ切り替えを示すタイミング図
【図５】従来の画像音声処理システムのシステム構成図
【符号の説明】
１ａ、１ｂ  カメラ
２  画像音声入力処理回路
３ａ、３ｂ  データ送信回路
４  受信側装置
５  画像音声入力処理回路
６  データ受信回路
７  蓄積切り替え回路
８  制御回路
９  データ処理回路
１０  記録メディア
１１  画像音声出力処理回路
１２  受信側装置
１３  蓄積回路
１４  データ処理／切り替え回路
２１ａ、２１ｂ  カメラ装置
２２  編集機器
【図１】
2004194125.tif 000003
【図２】
2004194125.tif 000004
【図３】
2004194125.tif 000005
【図４】
2004194125.tif 000006
【図５】
2004194125.tif 000007